(57)【要約】【課題】  従来よりも品数を抑え、結線部分での温度ムラ発生も抑制し、ずらし貼りに容易に対応することのできる床暖房パネルおよびその施工方法を提供する。【解決手段】  矩形状の床材２の裏面側に発熱体３および配線具４を収めた床暖房パネル１であって、一対の配線具用収納部５ａ，５ｂが、床材２裏面における両側の長手端部にて互いに対向して設けられており、この配線具用収納部５ａ，５ｂはそれぞれ、配線具４を収納可能な凹部５１と、配線具４を該凹部５１から床材２長手端部の外方へ引出し可能な２つの開口部５２，５３とを有している。【選択図】図１
2006090669.tif 000002
【特許請求の範囲】
【請求項１】
矩形状の床材の裏面側に発熱体および配線具を収めた床暖房パネルであって、
一対の配線具用収納部が、床材裏面における両側の長手端部にて、互いに対向して設けられており、
この配線具用収納部はそれぞれ、配線具を収納可能な凹部と、配線具を該凹部から床材長手端部の外方へ引出し可能な２つの開口部とを有していることを特徴とする床暖房パネル。
【請求項２】
配線具用収納部の各開口部は、所定のずらし貼り寸法に合わせた位置に設けられていることを特徴とする請求項１記載の床暖房パネル。
【請求項３】
矩形状の床材の裏面側に発熱体および配線具を収めた床暖房パネルの施工方法であって、
配線具を収納可能な凹部と、配線具を該凹部から床材長手端部の外方へ引出し可能であり且つ所定のずらし貼り寸法に合わせた位置にある２つの開口部とを有している一対の配線具用収納部が、床材裏面における両側の長手端部にて互いに対向して設けられている床暖房パネルを用い、
これをずらし貼りする際に、隣接する各床暖房パネルにおける配線具用収納部のいずれか一方の開口部同士を互いに連通させて、この配線具用収納部の開口部同士および凹部に結線状態の配線具を収めることを特徴とする床暖房パネルの施工方法。
【発明の詳細な説明】
【技術分野】
【０００１】
本願発明は、床材の裏面側に形成された収納部に発熱体及び配線具を収めてなる、床材一体型の電気式の床暖房パネルに関するものである。
【背景技術】
【０００２】
上記床暖房パネルについては、複数枚を並べて敷設する際に、各床暖房パネルの短手端部を一直線上に揃えると、筋が一列に現れて見た目が悪く、また伸縮が発生したときにそれが目立つなどの問題があり、たとえば交互に一尺程度ずらしてそれぞれの短手端部が互い違いとなるように敷設する所謂ずらし貼りがしばしば行われている。
【０００３】
この場合、図４に例示したように、通常、寸法が異なる発熱体ａ，ｂ，ｃ・・・を収めた２種類の床暖房パネルＡ，Ｂを用意し、各床暖房パネルＡ，Ｂ内の発熱体ａ，ｂ，ｃ・・・の結線部分が一直線上に並ぶようにして、床暖房パネルＡ，Ｂ間の結線施工の簡易化、温度ムラの低減を図っている。
【０００４】
また、様々な床暖房プランに対応させるためには、床暖房パネル自体の長さも３尺、６尺、９尺などと数種類必要であって、それぞれに上記２種類用意する必要がある。
【特許文献１】特開２００１−９０９７０号公報
【発明の開示】
【発明が解決しようとする課題】
【０００５】
しかしながら、これでは、床暖房パネルの品種が多くなるため、コストや施工性の観点からあまり好ましくない。
【０００６】
また一方で、図４に例示したように結線部分が一直線上に並んでいても、一枚の床暖房パネル内にて発熱体が分かれており、その間の結線部分にどうしても温度ムラが生じてしまうので、この結線部分の温度ムラを無くすために、できるだけ床材の端部分に電線やコネクタ等の配線具を収める構成とすることが考えられる。
【０００７】
上記特許文献１には、床材裏面における長手端部にコネクタが収められた構成の床暖房パネルが記載されている。
【０００８】
しかしながら、この特許文献１に記載の床暖房パネルでは、上記のとおりに複数枚をずらし貼りする際に、隣り合う床暖房パネル同士のコネクタ収納部の位置がずれるため、それに収められているコネクタ位置もずれて、結線が上手くできない。したがって、ずらし貼りには対応し難いのである。
【０００９】
そこで、以上のとおりの事情に鑑み、本願発明は、従来よりも品数を抑え、結線部分での温度ムラ発生も抑制し、ずらし貼りに容易に対応することのできる床暖房パネルおよびその施工方法を提供することを課題としている。
【課題を解決するための手段】
【００１０】
本願発明は、上記の課題を解決するものとして、第１には、矩形状の床材の裏面側に発熱体および配線具を収めた床暖房パネルであって、一対の配線具用収納部が、床材裏面における両側の長手端部にて、互いに対向して設けられており、この配線具用収納部はそれぞれ、配線具を収納可能な凹部と、配線具を該凹部から床材長手端部の外方へ引出し可能な２つの開口部とを有していることを特徴とする。
【００１１】
第２には、前記配線具用収納部の各開口部は、所定のずらし貼り寸法に合わせた位置に設けられていることを特徴とする。
【００１２】
また、本願発明は、第３には、矩形状の床材の裏面側に発熱体および配線具を収めた床暖房パネルの施工方法であって、配線具を収納可能な凹部と、配線具を該凹部から床材長手端部の外方へ引出し可能であり且つ所定のずらし貼り寸法に合わせた位置にある２つの開口部とを有している一対の配線具用収納部が、床材裏面における両側の長手端部にて互いに対向して設けられている床暖房パネルを用い、これをずらし貼りする際に、隣接する各床暖房パネルにおける配線具用収納部のいずれか一方の開口部同士を互いに連通させて、この配線具用収納部の開口部同士および凹部に結線状態の配線具を収めることを特徴とする。
【発明の効果】
【００１３】
上記第１の発明によれば、上記のとおりの配線具用収納部の存在により、ずらし貼りの際に、隣接する各床暖房パネルにおける配線具用収納部の開口部同士を互いに連通させて、この開口部同士およびそれに凹部にて結線状態の配線具を収めることができるので、ずらし貼りに容易に対応できる床暖房パネルが実現される。また、配線具用収納部でずらし貼りに対応できる、つまりずらし量を吸収できるので、前述した図４の従来例のように発熱体を複数種類用意する必要がなくなり、品数も抑えることができる。また、結線部分が床材の長手端部に収められるので、従来例のような温度ムラの発生も抑制できる。
【００１４】
上記第２の発明によれば、上記第１の発明と同様な効果が得られ、また、予めずらし貼りの寸法に合わせて配線具用収納の各開口部が形成されているので、より容易に且つ的確にずらし貼りに対応できる床暖房パネルが実現される。
【００１５】
また、上記第３の発明によれば、上記第１および第２の発明と同様な効果が得られる床暖房パネルの施工方法が実現される。
【発明を実施するための最良の形態】
【００１６】
図１および図２は、各々、本願発明の一実施形態を示したものである。
【００１７】
この実施形態において、まず、図１に例示したように、床暖房パネル１のパネル基材となる矩形状の床材２の裏面には、電気式の発熱体３が収められている。発熱体３は、面状のものや線状のものなどを考慮でき、それぞれの形状に合わせた収納凹部（図示なし）が床材２の裏面に形成され、そこに収納されている。
【００１８】
床材２の裏面には、さらに、互いに対向した一対の配線具用収納部５ａ，５ｂが、床材２裏面における左右両側の長手端部に設けられている。
【００１９】
より具体的には、各配線具用収納部５ａ，５ｂは、発熱体３と床材２長手辺との間に確保されているスペースにて、発熱体３を間に互いに対向して形成されており、配線具４としてのコネクタ４１および電線４２が収納可能な大きさ及び形状を持つ凹部５１を有している。電線４２は発熱体３から延びて凹部５１内に収められ、その先端に取り付けられるコネクタ４１も凹部５１内に収められる。
【００２０】
また、各配線具用収納部５ａ，５ｂは、凹部５１から床材２長手端部の外方へ配線具４、特に電線４２を引き出せるように、凹部５１から長手辺まで伸びてそのまま床材２の横外方へ開口した２つの開口部５２，５３をも有している。そして、この２つの開口部５２，５３は、所定のずらし貼り寸法、つまり床暖房パネル１をずらし貼りする際のずらし量に合わせて位置されている。たとえばずらし量が１尺の場合には、一方の開口部５２および他方の開口部５３は互いに半尺程度ずれた位置に形成される。
【００２１】
以上の配線具用収納部５ａ，５ｂを床材２裏面に備えた床暖房パネル１をずらし貼りする際には、図２に例示したように、隣接する各床暖房パネル１における上記配線具用収納部５ａ，５ｂのいずれか一方の開口部５２，５３同士を互いに連通させる。ここで、ずらし貼り寸法に合わせた位置となっている開口部５２，５３は、隣接する床暖房パネル１を所定寸法でずらし貼りするだけで互いに連通することになる。
【００２２】
図２では、左右両側の床暖房パネル１に対してその間に位置した床暖房パネル１がたとえば約１尺ずれており、これに合わせて、左側の配線具用収納部５ａについては、その一方の開口部５２と、これに対向する、左側に隣接する床暖房パネル１の右側の配線具用収納部５ｂにおける一方の開口部５３とが、互いに連通しており、右側の配線具用収納部５ｂについては、その一方の開口部５２と、これに対向する、右側に隣接する床暖房パネル１の左側の配線具用収納部５ａにおける一方の開口部５３とが、互いに連通している。
【００２３】
そして、このように互いの開口部５２，５３が連通した状態の配線具用収納部５ａ，５ｂにおいて、配線具４としてのコネクタ４１および電線４２を、隣接する床暖房パネル１間での結線が必要なければ未結線状態で、結線が必要であれば結線状態で収める。
【００２４】
この配線具４の結線及び収納については、たとえば、図１に例示したように左側の配線具用収納部５ａに収められている結線前の配線具４が電線４２のみである場合には、図２に例示したように（図中左側の結線・収納状態を参照）、その電線４２を、相手の床暖房パネル１の方へ引き出して、相手側の電線４２先端のコネクタ４１に接続させ、接続させた状態のまま、互いに連通した開口部５２，５３を通して相手側の配線具用収納部５ｂの凹部５１内にコネクタ４１とともに収める。また、右側の配線具用収納部５ｂに収められている結線前の配線具４がコネクタ４１及び電線４２である場合には、図２に例示したように（図中右側の結線・収納状態を参照）、そのコネクタ４１及び電線４２を、相手の床暖房パネル１の方へ引き出して、相手側の電線４２に接続させ、接続させた状態のまま、互いに連通した開口部５２，５３を通して相手側の配線具用収納部５ａの凹部５１内に収める。もちろんこの逆に、相手側のコネクタ４１や電線４２をこちら側に引き出して結線させ、凹部５１内に収めてもよい。
【００２５】
以上により、床暖房パネル１間の配線具４を、ずらし貼り寸法に対応した床材２裏面の配線具用収納部５ａ，５ｂ内に、容易に且つ確実に収めることができ、しかも配線具用収納部５ａ，５ｂの開口部５２，５３にてずらし量を吸収しているので、発熱体３の寸法を変えたり分けたりすることもなく、１種類の床暖房パネル１にてずらし貼りが可能となる。
【００２６】
なお、配線具用収納部５ａ，５ｂの寸法例としては、たとえば図３に例示したように、ずらし量を３０３ｍｍ、図中のＬ２の寸法、つまりコネクタ４１と電線４２先端のホルダとを合わせた寸法を７５ｍｍとした場合、Ｌ＝（３０３−７５）／２＝１１４ｍｍとなり、開口部５２，５３同士は互いに１５１．５ｍｍずれた位置となる。
【図面の簡単な説明】
【００２７】
【図１】本願発明の一実施形態を示した裏面図。
【図２】本願発明の一実施形態を示した裏面図。
【図３】本願発明における配線具用収納部の一寸法例について説明するための図。
【図４】従来の床暖房パネルについて説明するための図。
【符号の説明】
【００２８】
１  床暖房パネル
２  床材
３  発熱体
４  配線具
４１  コネクタ
４２  電線
５ａ，５ｂ  配線具用収納部
５１  凹部
５２，５３  開口部
【図１】
2006090669.tif 000003
【図２】
2006090669.tif 000004
【図３】
2006090669.tif 000005
【図４】
2006090669.tif 000006